(57)【特許請求の範囲】
【請求項１】
ウエスト部（１）と、足回り部（２）と、股下の幅方向中心の少なくとも一部を含む領域においてパッド（６）を配置するためのパッド固定部（Ａ）とを有するアウターパンツにおいて、前記パッド固定部（Ａ）は、内面に前記パッドを着脱可能に取り付け得るように構成され且つ上下方向（Ｚ）の伸縮性が幅方向（Ｘ）の伸縮性より大きく、前記ウエスト部（１）および前記足回り部（２）は、幅方向（Ｘ）の伸縮性が上下方向（Ｚ）の伸縮性より大きいことを特徴とするアウターパンツ。
【請求項２】
前記パッド固定部（Ａ）における５０％伸張時の上下方向（Ｚ）の応力が、前記ウエスト部（１）における５０％伸張時の幅方向（Ｘ）の応力より小さく且つ前記足回り部（２）における５０％伸張時の幅方向（Ｘ）の応力より大きく設定されていることを特徴とする前記請求項１記載のアウターパンツ。
【発明の詳細な説明】
【０００１】
【発明の属する技術分野】
【０００２】
本願発明は、排尿訓練用のアウターパンツに関するものである。
【従来の技術】
【０００３】
従来から、アウターパンツの内部にパッドを装着して小児の排尿訓練用として使用することが行われている。
【０００４】
上記のようなアウターパンツの場合、胴回り全体が伸縮する構成となっていると、装着されたパッドがパンツをはかせるときにパンツから外れてしまうおそれがあるし、ウエスト部のみにゴムを入れて、伸び縮みするように構成した場合、パッドが取り付けられている部分に伸縮性がないため、装着後において、小児の動きや排尿の重みによってパッドとパンツとにズレが生じてしまい、尿漏れを起こすおそれがあった。また、パンツからのパッドの外れやズレを防止するために、パッドとパンツとが外れないような構造とした場合、排尿訓練専用としてしか使用できず、パンツのみの使用ができないという不具合がある。
【０００５】
ところで、この種のアウターパンツと類似するものとしては、パンティストッキング、パンティガードルなどの下着が本来有している伸縮性などに基づく軽快な着用性や機動性、フィット性、体型補正機能等に着目して、その利点を生かして失禁用品としての機能を付与したものがある（特許文献１参照）。この特許文献１に開示されている失禁用品の場合、前記下着のまち部に設けられた機械式係合材料（例えば、ファスナー等）を、吸収性物品（例えば、尿パッド）の外表面に設けられた機械式係合材料（例えば、ファスナー等）とを係合させるようになっている。
【０００６】
【特許文献１】
特開２００１−３２９４０１号公報。
【発明が解決しようとする課題】
【０００７】
ところが、上記公知例のものでは、吸収性物品（例えば、尿パッド等）を下着のまち部に取り付ける手段として機械式係合材料を採用しているため、当該下着に、機械式係合材料を常備せざるを得ないこととなる。従って、公知例の技術をアウターパンツに適用しようとすると、前述したと同様に、パッドの外れやズレは防止できるものの、排尿訓練専用としてしか使用できず、パンツのみの使用ができなくなるという不具合がある。
【０００８】
本願発明は、上記の点に鑑みてなされたもので、パッドを付け易く、装着時のフィット性が良く、しかもパンツのみとしても使用可能なアウターパンツを提供することを目的としている。
【課題を解決するための手段】
【０００９】
本願発明では、上記課題を解決するための第１の手段として、ウエスト部１と、足回り部２と、股下の幅方向中心の少なくとも一部を含む領域においてパッド６を配置するためのパッド固定部Ａとを有するアウターパンツにおいて、前記パッド固定部Ａを、内面に前記パッドを着脱可能に取り付け得るように構成し且つ上下方向Ｚの伸縮性が幅方向Ｘの伸縮性より大きくなるようにし、前記ウエスト部１および前記足回り部２を、幅方向Ｘの伸縮性が上下方向Ｚの伸縮性より大きいなるようにしている。
【００１０】
上記のように構成したことにより、パッド６を挿入したときに、パッド６が上下にはみ出しにくくなる。また、パンツ装着時におけるパッド６の外れ、パンツ装着後におけるパッド６のズレを効果的に防止することができる。従って、パッド６を付け易く、装着時のフィット性が良いものとなる。また、パッド６を取り外した状態でのパンツのみとしても使用可能となる。
【００１１】
本願発明では、さらに、上記課題を解決するための第２の手段として、上記第１の手段を備えたアウターパンツにおいて、前記パッド固定部Ａにおける５０％伸張時の上下方向Ｚの応力を、前記ウエスト部１における５０％伸張時の幅方向Ｘの応力より小さく且つ前記足回り部２における５０％伸張時の幅方向Ｘの応力より大きく設定することもでき、そのように構成した場合、パンツ装着後の安定性が向上するとともに、パンツ装着時における足回り部２の締め付け性が抑制されることとなり、フィット性がより向上する。
【発明の実施の形態】
【００１２】
以下、添付の図面を参照して、本願発明の好適な実施の形態について説明する。
【００１３】
このアウターパンツは、図１および図２に示すように、胴回り開口１ａを有するウエスト部１、足回り開口２ｂ，２ｂをそれぞれ有する足回り部２，２およびパッド固定部Ａからなっており、該パッド固定部Ａの内面には、パッド（例えば、尿パッド）６を着脱可能に取り付け得るように構成されている。前記パッド固定部Ａは、前後見頃部３，４および股間部５からなっている。
【００１４】
このアウターパンツの生地組成は、綿９０〜９５％、ポリウレタン５〜１０％とするのが特に望ましい。但し、綿の代わりにナイロンも使用可能である。また、使い捨てが可能なように、レーヨン・ポリエチレン・ポリプロピレンを主成分とする不織布を生地として使用することも可能である。
【００１５】
前記ウエスト部１は、ゴム等の伸縮部材（図示省略）を内挿してなる帯状部材により構成されており、幅方向（即ち、Ｘ方向）の伸縮性が上下方向（即ち、Ｚ方向）の伸縮性より大きく（好ましくは、５０％〜２００％大きく）、Ｘ方向の応力が各部位の中で一番大きく設定されている（例えば、５０％伸張時の応力が２０〜２００ｇ／ｃｍとするのが好ましい）。
【００１６】
前記各足回り部２は、Ｘ方向の伸縮性がＺ方向の伸縮性より大きく、Ｘ方向の応力が各部位の中で一番小さく設定されている。
【００１７】
前記パッド固定部Ａは、Ｚ方向の伸縮性がＸ方向の伸縮性より大きく、Ｚ方向の応力が前記ウエスト部１におけるＸ方向応力より小さく且つ前記足回り部２におけるＸ方向応力より大きく設定されている。
【００１８】
上記ウエスト部１の応力は、５０％伸張時において２０〜２００ｇ／ｃｍとするのが好ましく、上記足回り部２の応力は、５０％伸張時において５〜１００ｇ／ｃｍとするのが好ましく、上記パッド固定部Ａの応力は、５０％伸張時において１０〜１５０ｇ／ｃｍとするのが好ましい。
【００１９】
本実施の形態においては、前記パッド固定部Ａを構成する前後見頃部３，４は、図２に示すように、前記足回り部２，２を構成する布地のＸ方向端部を延設してなる延設部２ａ，２ａを互いに重合させて２枚重ねとすることにより形成されている。符号７，７は縫い目である。つまり、延設部２ａ，２ａを重ね合わせることにより、パッド固定部Ａに要求される上記設定条件を満足できるようにしているのである。なお、前記パッド固定部Ａを、Ｚ方向の伸縮性がＸ方向の伸縮性より大きくなるような別な素材で構成することも可能である。この場合、Ｘ方向の伸縮性が各部位の中で一番小さく、Ｚ方向の応力が前記ウエスト部１におけるＸ方向応力より小さく且つ前記足回り部２におけるＸ方向応力より大きくなるような素材で構成するのがより好ましい。
【００２０】
前記パッド６は、高吸水性ポリマーを主成分とする従来公知吸収体により構成されており、そのアウターパンツへの取付面には、粘着剤Ｃが予め塗布されており、該粘着剤Ｃの表面には、使用時において剥離される剥離紙（図示省略）が貼付されている。
【００２１】
次に、上記のように構成されたアウターパンツの使用の態様について説明する。
【００２２】
まず、パッド６における剥離紙を剥離して粘着剤Ｃを露出させた状態で、該パッド６を、アウターパンツにおけるパッド固定部Ａの内面に貼着する。その状態で小児にアウターパンツをはかせる。すると、パッド６が取り付けられるパッド固定部ＡがＸ方向に変形しにくいものとなっているところから、パンツ装着時におけるパッド６の外れ、パンツ装着後におけるパッド６のズレを効果的に防止することができる。従って、パッド６を付け易く、装着時のフィット性が良いものとなる。しかも、パッド６を取り外した状態においては、パッド固定部Ａの内面は布地のままとなるため、パンツのみとしても使用可能となる。つまり、排尿訓練用としても通常のパンツとしても使用可能となるのである。
【００２３】
また、前記前後見頃部３，４のＸ方向への変形を足回り部２よりも小さく設定するようにしているので、装着時におけるパッド６の外れ、装着後におけるパッド６とパンツとのズレをより一層防止することができる。
【００２４】
また、前記ウエスト部１のＸ方向伸縮性をＺ方向伸縮性より大きく設定するようにしているので、パンツの装着性がより向上する。
【００２５】
また、前記ウエスト部１における幅方向応力を各部位の中で最も大きく設定するようにしているので、パンツ装着後の安定性が向上する。
【００２６】
また、前記足回り部２の幅方向伸縮性を上下方向伸縮性より大きく設定するようにしているので、パンツ装着時における足回り部２の締め付け性が抑制されることとなり、フィット性がより向上する。
【００２７】
なお、ウエスト部１とは、胴回り開口１ａの口縁および胴回り開口１ａの口縁から所定の幅をもった領域を言う。この所定幅は１〜７ｃｍ、好ましくは２〜５ｃｍとされる。
【００２８】
また、足回り部２とは、着用時にウエスト部１の下方で且つパッド固定部Ａの幅方向側方に位置し、股下およびその近傍をブリーフタイプに見立てた場合の足回りを起端として足回り開口２ｂまでの領域を意味している。
【００２９】
さらに、パッド固定部Ａとは、パッド６を固定する位置の少なくとも一部を含み、好ましくはパッド６の表面と略同一形状で、同一面積、またはパッド６の表面よりも大きい面積とすることができる。
【００３０】
上記したこれらの領域は隣接しても良いが、各領域間において領域する２または３領域の中間の伸縮性または伸長応力を有する緩衝領域を介在させても良い。
【発明の効果】
【００３１】
本願発明の第１の手段によれば、ウエスト部１と、足回り部２と、股下の幅方向中心の少なくとも一部を含む領域においてパッド６を配置するためのパッド固定部Ａとを有するアウターパンツにおいて、前記パッド固定部Ａを、内面に前記パッドを着脱可能に取り付け得るように構成し且つ上下方向Ｚの伸縮性が幅方向Ｘの伸縮性より大きくなるようにし、前記ウエスト部１および前記足回り部２を、幅方向Ｘの伸縮性が上下方向Ｚの伸縮性より大きいなるようにしているので、パッド６を挿入したときに、パッド６が上下にはみ出しにくくなるという効果がある。また、パンツ装着時におけるパッド６の外れ、パンツ装着後におけるパッド６のズレを効果的に防止することができるところから、パッド６を付け易く、装着時のフィット性が良いものとなるという効果もある。また、パッド６を取り外した状態でのパンツのみとしても使用可能となるという効果もある。
【００３２】
本願発明の第２の手段におけるように、上記第１の手段を備えたアウターパンツにおいて、前記パッド固定部Ａにおける５０％伸張時の上下方向Ｚの応力を、前記ウエスト部１における５０％伸張時の幅方向Ｘの応力より小さく且つ前記足回り部２における５０％伸張時の幅方向Ｘの応力より大きく設定することもでき、そのように構成した場合、パンツ装着後の安定性が向上するとともに、パンツ装着時における足回り部２の締め付け性が抑制されることとなり、フィット性がより向上する。
【図面の簡単な説明】
【図１】  本願発明の実施の形態にかかるアウターパンツの斜視図である。
【図２】  図１のＩＩ−ＩＩ拡大断面図である。
【符号の説明】
１はウエスト部、１ａは胴回り開口、２は足回り部、２ａは延設部、２ｂは足回り開口、３は前見頃部、４は後見頃部、５は股間部、６はパッド、Ａはパッド固定部、Ｘは幅方向、Ｚは上下方向。
【図１】
0003993839.tif 000002
【図２】
0003993839.tif 000003